(57)【要約】【課題】鼻を覆う部分と口を覆う部分の間に仕切りがあるマスクにおいて、口を覆う部分にも高濃度酸素の供給が可能な酸素マスク及びこれに使用する酸素供給チューブ接続用コネクターの提供。【解決手段】鼻及び口を覆うマスク本体であって、鼻を覆う部分１１１と口を覆う部分１１２の間に仕切り部１１５を有するマスク本体部１１と、酸素供給チューブを接続する接続部１２２を有し、マスク本体部１１内へ酸素を導入する酸素導入部１２と、を備え、酸素導入部１２が、鼻を覆う部分１１１に対して酸素を導入する第１導入部１２３と、口を覆う部分１１２に対して酸素を導入する第２導入部１２４とを備えることを特徴とする酸素マスク１。【選択図】図４
0003213851.tif 000002
【実用新案登録請求の範囲】
【請求項１】
鼻及び口を覆うマスク本体であって、鼻を覆う部分と口を覆う部分の間に仕切り部を有するマスク本体部と、
酸素供給チューブを接続する接続部を有し、前記マスク本体部内へ酸素を導入する酸素導入部と、
を備え、
前記酸素導入部が、前記鼻を覆う部分に対して酸素を導入する第１導入部と、前記口を覆う部分に対して酸素を導入する第２導入部とを備えることを特徴とする酸素マスク。
【請求項２】
前記第１導入部が第１酸素供給口を備え、前記第２導入部が第２酸素供給口を備え、前記鼻を覆う部分に対する酸素供給量と前記口を覆う部分に対する酸素供給量が略同一となるように、前記第１酸素供給口の開口面積と前記第２酸素供給口の開口面積の比率が定められていることを特徴とする請求項１に記載の酸素マスク。
【請求項３】
前記酸素導入部が、筒状体部を備え、
当該筒状体部の下部側に前記接続部が形成され、
前記筒状体部の上部側に前記第１導入部が形成され、
前記筒状体部の中間部に前記第２導入部が形成されている
ことを特徴とする請求項１に記載の酸素マスク。
【請求項４】
前記鼻を覆う部分に、前記第１導入部を接続するための第１開口部が形成され、
前記口を覆う部分に、前記第２導入部を接続するための第２開口部が形成され、
前記酸素導入部が、前記第１開口部及び前記第２開口部に対して着脱可能な酸素供給チューブ接続用コネクターとして形成されていることを特徴とする請求項１から３の何れかに記載の酸素マスク。
【請求項５】
請求項４に記載の酸素マスクに使用される前記酸素供給チューブ接続用コネクターであって、前記第１開口部及び前記第２開口部に対して着脱可能な酸素供給チューブ接続用コネクター。
【考案の詳細な説明】
【技術分野】
【０００１】
本考案は、酸素ボンベや酸素濃縮機等からの酸素（濃縮酸素を含む）を吸入させるための酸素マスク及びこれに使用される酸素供給チューブ接続用コネクターに関する。
【背景技術】
【０００２】
従来、酸素ボンベ等からの酸素や酸素濃縮機等からの濃縮酸素を、患者等に吸入させるために、酸素マスクが使用されている。
特許文献１及び特許文献２には、このような酸素マスクに関する技術が開示されている。
【先行技術文献】
【特許文献】
【０００３】
【特許文献１】特開２００８−１５４８９９号公報
【特許文献２】実用新案登録第３２１０２１５号公報
【考案の概要】
【考案が解決しようとする課題】
【０００４】
特許文献１及び２で開示される技術は、鼻を覆う部位と口を覆う部位の間に仕切り板を設けて吸気室と呼気室に分け、吸気室に供給される高濃度酸素は鼻からの吸気を自在とするとともに、呼気室に排出される呼気をマスク本体の外部に排出できるようにしたものである。
これによれば、鼻から吸気する高濃度酸素に呼気が混ざることが抑止されるため、効率よく高濃度酸素を吸気させることができ、好適なものである。
しかしながら、使用者の状態によっては鼻での吸気がし難い場合もあり、鼻を覆う部分と口を覆う部分を分けつつも、口を覆う部分にも高濃度酸素の供給があることを望む声がある。
【０００５】
本考案は、上記の点に鑑み、鼻を覆う部分と口を覆う部分の間に仕切りがあるマスクにおいて、口を覆う部分にも高濃度酸素の供給が可能な酸素マスク及びこれに使用する酸素供給チューブ接続用コネクターを提供することを目的とする。
【課題を解決するための手段】
【０００６】
（構成１）
鼻及び口を覆うマスク本体であって、鼻を覆う部分と口を覆う部分の間に仕切り部を有するマスク本体部と、酸素供給チューブを接続する接続部を有し、前記マスク本体部内へ酸素を導入する酸素導入部と、を備え、前記酸素導入部が、前記鼻を覆う部分に対して酸素を導入する第１導入部と、前記口を覆う部分に対して酸素を導入する第２導入部とを備えることを特徴とする酸素マスク。
【０００７】
（構成２）
前記第１導入部が第１酸素供給口を備え、前記第２導入部が第２酸素供給口を備え、前記鼻を覆う部分に対する酸素供給量と前記口を覆う部分に対する酸素供給量が略同一となるように、前記第１酸素供給口の開口面積と前記第２酸素供給口の開口面積の比率が定められていることを特徴とする構成１に記載の酸素マスク。
【０００８】
（構成３）
前記酸素導入部が、筒状体部を備え、当該筒状体部の下部側に前記接続部が形成され、前記筒状体部の上部側に前記第１導入部が形成され、前記筒状体部の中間部に前記第２導入部が形成されていることを特徴とする構成１に記載の酸素マスク。
【０００９】
（構成４）
前記鼻を覆う部分に、前記第１導入部を接続するための第１開口部が形成され、前記口を覆う部分に、前記第２導入部を接続するための第２開口部が形成され、前記酸素導入部が、前記第１開口部及び前記第２開口部に対して着脱可能な酸素供給チューブ接続用コネクターとして形成されていることを特徴とする構成１から３の何れかに記載の酸素マスク。
【００１０】
（構成５）
構成４に記載の酸素マスクに使用される前記酸素供給チューブ接続用コネクターであって、前記第１開口部及び前記第２開口部に対して着脱可能な酸素供給チューブ接続用コネクター。
【考案の効果】
【００１１】
本考案の酸素マスクによれば、鼻を覆う部分と口を覆う部分の間に仕切りがあるマスクにおいて、鼻から吸って口から吐く場合、口から吸って鼻から吐く場合、の何れにおいても、吸気させる高濃度酸素に呼気が混ざることが抑止されるため、効率よく高濃度酸素を吸気させることができる。
【図面の簡単な説明】
【００１２】
【図１】本考案に係る実施形態の酸素マスクを示す斜視図
【図２】酸素供給チューブ接続用コネクターを示す平面図であり、（ａ）：側面図、（ｂ）：正面図、（ｃ）：背面図、（ｄ）：上面図、（ｅ）：底面図
【図３】酸素供給チューブ接続用コネクターを示す図であり、（ａ）：斜視図、（ｂ）：断面図
【図４】本考案に係る実施形態の酸素マスクの使用状態を示す図
【図５】酸素供給チューブ接続用コネクターの別の例を示す図であり、（ａ）：斜視図、（ｂ）：断面図
【考案を実施するための形態】
【００１３】
以下、本考案の実施態様について、図面を参照しながら具体的に説明する。なお、以下の実施態様は、本考案を具体化する際の一形態であって、本考案をその範囲内に限定するものではない。
【００１４】
図１は、本考案に係る実施形態の酸素マスクを示す図であり、図１（ａ）は斜視図、図１（ｂ）はマスク本体部から酸素供給チューブ接続用コネクター（酸素導入部）を外した状態を示す図である。また、図４は酸素マスクの使用状態を示す図である。
各図に示されるように、本実施形態の酸素マスク１は、鼻及び口を覆うマスク本体部１１と、これに対して着脱可能な酸素供給チューブ接続用コネクター（酸素導入部）１２とを基本的な構成として有する。
【００１５】
マスク本体部１１は、鼻を覆う部分１１１と、口を覆う部分１１２を有しており、鼻を覆う部分１１１と口を覆う部分１１２の間に仕切り部１１５を有する。即ち、図４に示されるように、鼻を覆う部分１１１の下面となる位置に仕切り部１１５を有することで、鼻を覆う部分１１１は、概ね鼻の部分のみを覆い、口を覆う部分１１２概ね口の部分のみを覆う形状に形成される。
鼻を覆う部分１１１の下面部分には、酸素供給チューブ接続用コネクター１２の第１導入部１２３を接続するための第１開口部１１３が形成され、口を覆う部分１１２の正面部分には、酸素供給チューブ接続用コネクター１２の第２導入部１２４を接続するための第２開口部１１４（本実施形態では楕円形状）が形成される。
図１、４に示されるように、マスク本体部１１に酸素供給チューブ接続用コネクター１２が取り付けられ、酸素供給チューブ接続用コネクター１２に酸素供給源に接続された酸素供給チューブ（図示せず）が接続されることで、マスク本体部１１の鼻を覆う部分１１１と、口を覆う部分１１２のそれぞれに酸素が供給されるものである。
なお、酸素マスク１の顔への装着は、マスク本体部１１の周辺部に形成された挿通孔Ｈに、ゴム紐等を取り付け、当該ゴム紐等を耳にかけたり頭部にまわしたりすることで行う（従来と同様である）。
【００１６】
図２，３は、酸素供給チューブ接続用コネクター１２を示す図であり、それぞれ、図２（ａ）：側面図、図２（ｂ）：正面図、図２（ｃ）：背面図、図２（ｄ）：上面図、図２（ｅ）：底面図、図３（ａ）：斜視図、図３（ｂ）：図２（ｂ）のＡ−Ａ線に沿った断面図である。
酸素供給チューブ接続用コネクター（酸素導入部）１２は、酸素供給チューブ（図示せず）を酸素マスク１に接続させるための部材であり、図２、３に示されるように、円筒状の筒状体部１２１をその基本態様とし、筒状体部１２１の下部側に酸素供給チューブを接続するための接続部１２２が形成される。
筒状体部１２１の上部側には、第１導入部１２３が形成され、筒状体部１２１の中間部に第２導入部１２４が形成されている。
【００１７】
第１導入部１２３は、本実施形態では、筒状体部１２１の一部として形成されており、その外径が、第１開口部１１３の内径とほぼ同等に形成され、フランジ１２３ｂが形成される。第１導入部１２３は第１酸素供給口１２３ａを備えており、ここから酸素を供給する。当該構成より、第１導入部１２３を第１開口部１１３に挿入し、フランジ１２３ｂが突き当たることで、鼻を覆う部分１１１への酸素の供給路が形成される。
また、第２導入部１２４は、本実施形態では、筒状体部１２１の中間部から枝分かれするように形成されており、その断面の外周の形状（楕円形状）が、第２開口部１１４の内側形状（楕円形状）とほぼ同等に形成され、フランジ１２４ｂが形成される。第２導入部１２４は第２酸素供給口１２４ａを備えており、ここから酸素を供給する。当該構成より、第２導入部１２４を第２開口部１１４に挿入し、フランジ１２４ｂが突き当たることで、口を覆う部分１１２への酸素の供給路が形成される。
上記した、第１導入部１２３の第１開口部１１３への挿入、第２導入部１２４の第２開口部１１４への挿入によって、マスク本体部１１への酸素供給チューブ接続用コネクター１２の取り付けが行われる。
【００１８】
上記構成の酸素供給チューブ接続用コネクター１２が、マスク本体部１１に取り付けられることにより、図４に示されるように、マスク本体部１１の、鼻を覆う部分１１１内で第１酸素供給口１２３ａが開口し、口を覆う部分１１２内で第２酸素供給口１２４ａが開口する。これにより、酸素（若しくは濃縮酸素等）が、マスク本体部１１内（鼻を覆う部分１１１内及び口を覆う部分１１２内のそれぞれ）へ供給される。
【００１９】
本実施形態の酸素マスク１によれば、鼻を覆う部分１１１と口を覆う部分１１２を空間的に区切るようにしているため、呼気によって酸素濃度が低下することが抑止される。
即ち、鼻から吸って口から吐く場合は、鼻を覆う部分１１１と口を覆う部分１１２が空間的に区切られており、口からの呼気が鼻を覆う部分１１１内に入ることが抑止されるため、鼻を覆う部分１１１の酸素濃度が低下することが抑止され、効率よく高濃度酸素を吸気させることができる。
同様に、口から吸って鼻から吐く場合、鼻を覆う部分１１１と口を覆う部分１１２が空間的に区切られており、鼻からの呼気が口を覆う部分１１２内に入ることが抑止されるため、口を覆う部分１１２の酸素濃度が低下することが抑止され、効率よく高濃度酸素を吸気させることができる。
従って、鼻から吸って口から吐く場合、口から吸って鼻から吐く場合、の何れにおいても、吸気させる高濃度酸素に呼気が混ざることが抑止されるため、効率よく高濃度酸素を吸気させることができるのである。
【００２０】
また、本実施形態の酸素マスク１では、鼻を覆う部分１１１に対する酸素供給量と口を覆う部分１１２に対する酸素供給量が略同一となるように、第１酸素供給口１２３ａの開口面積と第２酸素供給口１２４ａの開口面積の比率が定められている。
これにより、鼻を覆う部分１１１と口を覆う部分１１２への酸素の供給割合を概ね５０％ずつにすることができ、均等に酸素供給をおこなうことができる。
【００２１】
なお、図５には、酸素供給チューブ接続用コネクターの別の例を示した。実施形態（図１〜４）と同様の構成については同一の符号を使用し、対応する構成には対応する符号（´の付与）を使用している。
実施形態では、上記のごとく、鼻を覆う部分１１１に対する酸素供給量と口を覆う部分１１２に対する酸素供給量が略同一となるように、第１酸素供給口１２３ａの開口面積と第２酸素供給口１２４ａの開口面積の比率を定めるものとしたが、図５の酸素供給チューブ接続用コネクター１２´では、図５（ｂ）に示されるように、筒状体部１２１の内部であって、第１導入部１２３と第２導入部１２４の間となる箇所に、第１導入部１２３と第２導入部１２４への酸素の供給割合を調整する調整部材１２５が配されている。
図５の酸素供給チューブ接続用コネクター１２´では、調整部材１２５が、筒状体部１２１の内部においてその水平方向の断面の略半分を覆う部材（上面視において半円状の部材）であり、第２導入部１２４が、調整部材１２５が形成された側（図３（ｂ）における左側）の筒状体部１２１の側面部に形成されている。
当該構成により、第１導入部１２３と第２導入部１２４への酸素の供給割合、即ち、鼻を覆う部分１１１と口を覆う部分１１２への酸素の供給割合を概ね５０％ずつにすることができ、均等に酸素供給をおこなうことができる。
本実施形態では、図５（ｂ）からも理解されるように、酸素供給チューブを接続するための接続部１２２が筒状体部１２１の下部の中央部に形成されており、当該接続部１２２から上方へと供給される酸素の供給路の半分を覆う形で調整部材１２５が形成されているため、上記説明した酸素供給量の均等配分がより効果的に行われる。
なお、ここでは、第１導入部１２３と第２導入部１２４への酸素の供給割合を均等とするものを例としたが、これに限るものではなく、何れかの供給割合を多く設定するようなものであっても構わない。
【００２２】
本実施形態では、酸素供給チューブ接続用コネクター（酸素導入部）の基本態様が、円筒状のものを例としたが、これに限られるものではない（例えば多角柱等の形状であってもよい）。
また、本実施形態では、酸素供給チューブ接続用コネクター（酸素導入部）がマスク本体部とは別体で形成され、マスク本体部に対して着脱可能なものを例としたが、酸素導入部がマスク本体部と一体的に形成されるものであってもよい。
【符号の説明】
【００２３】
１．．．酸素マスク
１１．．．マスク本体部
１１１．．．鼻を覆う部分
１１２．．．口を覆う部分
１１３．．．第１開口部
１１４．．．第２開口部
１１５．．．仕切り部
１２．．．酸素供給チューブ接続用コネクター（酸素導入部）
１２１．．．筒状体部
１２２．．．接続部
１２３．．．第１導入部
１２３ａ．．．第１酸素供給口
１２４．．．第２導入部
１２４ａ．．．第２酸素供給口
１２５．．．調整部材
【図１】
0003213851.tif 000003
【図２】
0003213851.tif 000004
【図３】
0003213851.tif 000005
【図４】
0003213851.tif 000006
【図５】
0003213851.tif 000007